(57)【要約】【課題】四つ脚動物の洗毛等の作業時において、動物が浴槽内で暴れることを防止し、トリマーがより少ない労力で短時間に作業を行うことができる動物用浴槽、および動物用浴槽に用いられる傾斜壁部材を提供する。【解決手段】動物用浴槽１０の浴槽本体１１の底面１５を四つ脚動物の四つ脚の着地投影面積に近い形状とすると共に、側壁を底面１５から上部開口に向けて拡大する傾斜壁１６とした。また、傾斜壁部材３０の傾斜板部３１に、側壁が傾斜していない、従来型式の動物用浴槽１の浴槽本体５の上端縁５ａに引っ掛けるための掛止部３２を設けた。【選択図】  図１
2004208549.tif 000002
【特許請求の範囲】
【請求項１】
四つ脚動物を入れたとき、該動物の四つ脚の着地投影面積に近い形状の底面を有すると共に、該底面から上部開口に向けて拡大する傾斜壁を有することを特徴とする動物用浴槽。
【請求項２】
少なくとも前記動物の前後方向に対応する一対の前記傾斜壁を有していることを特徴とする請求項１に記載の動物用浴槽。
【請求項３】
浴槽本体が高さ調節自在とされていることを特徴とする請求項１または２に記載の動物用浴槽。
【請求項４】
前記浴槽本体は、前記上部開口に至る迄開放する少なくとも一個の側方開口を有すると共に、該側方開口を塞ぐ扉を有していることを特徴とする請求項１ないし請求項３のいずれかに記載の動物用浴槽。
【請求項５】
前記浴槽本体の外壁に該浴槽本体の内側に向けて凹まされた凹部を設けたことを特徴とする請求項１ないし請求項４のいずれかに記載の動物用浴槽。
【請求項６】
前記傾斜壁と前記外壁との間に外側より収納物を出し入れ自在とする収納部を形成したことを特徴とする請求項１ないし請求項５のいずれかに記載の動物用浴槽。
【請求項７】
傾斜壁を浴槽本体内に備えていない動物用浴槽の浴槽本体上端縁に引っ掛け可能な掛止部と、
該掛止部を前記上端縁に掛止させた状態で前記浴槽本体の底面まで延びる傾斜板部と、
を有する、四つ脚動物が脚を移動することを抑制する傾斜壁部材。
【発明の詳細な説明】
【０００１】
【発明の属する技術分野】
この発明は、四つ脚動物を入浴させ、あるいは洗うための動物用浴槽に関するものである。
【０００２】
【従来の技術】
従来、この種の動物用浴槽は、図１２に示すようなものが知られている（例えば、特許文献１参照。）。
【０００３】
図１２において、動物用浴槽１は、直方体形状の浴槽本体５を脚部６が支えている。浴槽本体５は、上部開口部３と底面４とがほぼ等しい直方体形状の内槽２と、内槽２の外方を覆う外槽７とを有しており、この内槽２が、入浴させる四つ脚動物の大きさに応じて動物の体全体が入るような大きさにされている。
【０００４】
この内槽２を備えた浴槽本体５を支える脚部６は、トリマー（作業者）が作業しやすいように、四本の脚部６により構成されている。
【０００５】
このような動物用浴槽１では、トリマーは内槽２内に動物を入れて動物の洗毛等の作業を行っている。
【０００６】
【特許文献１】
特開２００２−１２５５０２号公報（第２頁、図１−３）
【０００７】
【発明が解決しようとする課題】
しかしながら、内槽２においては、底面４は上部開口部３と同じく動物の体全体が入る大きさで広く作られており、底面４では、動物が脚足を自由に動かして動き回れる程広く、動物はじっとしていない。したがって、例えば、犬などは入浴を嫌ったり浴槽内で暴れようとするため、動物の動きを押さえるトリマーの労力が大きく、作業性が悪いという問題があった。
【０００８】
そこで、この発明は、上記課題を解決すべく、動物の自由な動きを制限し、トリマーがより少ない労力で短時間に動物の洗毛等を行うことができる動物用浴槽を提供することを目的としている。
【０００９】
【課題を解決するための手段】
上記課題を解決するため、請求項１に記載の発明は、四つ脚動物を入れたとき、該動物の四つ脚の着地投影面積に近い形状の底面を有すると共に、該底面から上部開口に向けて拡大する傾斜壁を有することを特徴とする動物用浴槽である。
【００１０】
このように構成された請求項１記載のものでは、四つ脚の着地投影面積に近い形状の底面を有すると共に、該底面から上部開口に向けて拡大する傾斜壁を有するため、四つ脚動物が動いて脚を踏み出しても、傾斜面で脚が滑り、底面に戻らされる。
【００１１】
したがって、動物の自由な動きを制限して、あるいは動物があきらめて動かなくなり、浴槽内で暴れることを防止できるため、トリマーがより少ない労力で動物の洗毛等の作業を行うことができる動物用浴槽を提供することができる。
【００１２】
また、請求項２に記載の発明は、少なくとも前記動物の前後方向に対応する一対の前記傾斜壁を有していることを特徴とする請求項１に記載の動物用浴槽である。
【００１３】
このように構成された請求項２記載のものでは、前記動物の前後方向に対応する一対の前記傾斜壁を有しているため、四つ脚動物が動いて前後方向に脚を踏み出しても、傾斜面で脚が滑り、底面に戻らされる。
【００１４】
したがって、動物の自由な動きを制限して、あるいは動物があきらめて動かなくなり、浴槽内で暴れることを防止できるため、トリマーがより少ない労力で動物の洗毛等の作業を行うことができる動物用浴槽を提供することができる。
【００１５】
また、請求項３に記載の発明は、浴槽本体が高さ調節自在とされていることを特徴とする請求項１または請求項２に記載の動物用浴槽である。
【００１６】
このように構成された請求項３記載のものでは、前記浴槽本体が高さ調節自在とされているため、トリマーは動物を前記浴槽本体に出し入れさせるときは低く、動物の洗毛等を行うときは高く、そのときの作業に応じて前記浴槽本体の高さを調節できるため、トリマーの労力を軽減することができる。
【００１７】
また、請求項４に記載の発明は、前記浴槽本体は、前記上部開口に至る迄開放する少なくとも一個の側方開口を有すると共に、該側方開口を塞ぐ扉を有していることを特徴とする請求項１ないし請求項３のいずれかに記載の動物用浴槽である。
【００１８】
このように構成された請求項４記載のものでは、前記浴槽本体は、前記上部開口に至る迄開放する少なくとも一個の側方開口を有すると共に、該側方開口を塞ぐ扉を有しているため、前記扉を開放することにより前記側方開口から動物を前記浴槽本体に出し入れさせることができる。
【００１９】
したがって、動物を前記浴槽本体に入れるトリマーの労力を軽減することができる。
【００２０】
また、請求項５に記載の発明は、前記浴槽本体の外壁に該浴槽本体の内側に向けて凹まされた凹部を設けたことを特徴とする請求項１ないし請求項４のいずれかに記載の動物用浴槽である。
【００２１】
このように構成された請求項５記載のものでは、前記浴槽本体の外壁に該浴槽本体の内側に向けて凹まされた凹部を設けているため、トリマーは前記凹部に体を寄せることによって、前記浴槽本体内の動物により近づくことができ、動物の洗毛等を行うトリマーの作業性が向上する。
【００２２】
また、請求項６に記載の発明は、前記傾斜壁と前記外壁との間に外側より収納物を出し入れ自在とする収納部を形成したことを特徴とする請求項１ないし請求項５のいずれかに記載の動物用浴槽である。
【００２３】
このように構成された請求項６記載のものでは、前記傾斜壁と前記外壁との間に外側より収納物を出し入れ自在とする収納部を形成したため、前記収納部にブラシ、洗剤等の洗毛用具を使用場所の近くに収納することができるため便利であり、しかも周囲に別途の収納棚等を必要とせずスペースの有効利用と作業性の向上を図ることができる。
【００２４】
また、請求項７に記載の発明は、前記傾斜壁を浴槽本体内に備えていない動物用浴槽の浴槽本体上端縁へ引っ掛け可能な掛止部と、該掛止部を前記上端縁に掛止させた状態で前記浴槽本体の底面まで延びる傾斜板部と、を有する四つ脚動物が脚を移動することを抑制する傾斜壁部材である。
【００２５】
このように構成された請求項７記載のものでは、傾斜壁部材が浴槽本体上端縁へ引っ掛け可能な掛止部と、該掛止部を前記上端縁に掛止させた状態で前記浴槽本体の底面まで延びる傾斜板部と、を有しているため、浴槽本体内に前記傾斜壁を有していない従来型式の動物用浴槽であっても、前記上端縁に前記掛止部を引っ掛けて前記傾斜板部を固定するだけで容易に、前記浴槽本体内に前記傾斜壁を形成することができる。
【００２６】
【発明の実施の形態１】
以下、図面に基づいて本発明を説明する。
【００２７】
図１ないし図４は、第１の実施の形態を示す図である。
【００２８】
図１、図２に示したように、動物用浴槽１０は、浴槽本体１１が脚部１２によって支持されて形成されている。この浴槽本体１１は、内槽１３と、この内槽１３を覆う外壁１４とから形成されている。
【００２９】
そして内槽１３は、底面１５と、底面１５に連なる傾斜壁１６と、傾斜壁１６の上端縁１７とを有し、貯湯が可能となっている。
【００３０】
この底面１５には、図３及び図４に示したように、配水管１９に接続された排水口１８が設けられており、排水口１８からの水は排水管１９を介して排水される。さらに、底面１５は、動物の四つ脚の着地投影面積に近い形状の底面となっている。
【００３１】
ここで動物の四つ脚の着地投影面積とは、図５に例示するように、四つ脚動物を着地させたときに、接地する四つの足裏２１を結び、外周辺とした面積２２をいう。
【００３２】
また、傾斜壁１６は、底面１５から上部開口に向けて拡大する傾斜壁面となっている。
【００３３】
このような傾斜壁１６と、底面１５とを有する動物用浴槽１０では、内槽１３が動物の四つ脚の着地投影面積にほぼ等しい形状の底面１５となっており、周囲の傾斜壁１６が底面１５の中心よりに向かって傾斜しているため、動物が脚を動かしても脚が滑って中心の底面１５へ戻されるので、次第に落ち着いて脚を動かさなくなり、動物を浴槽本体１１内で暴れなくすることができる。
【００３４】
そして、特に、底面１５を大型犬の四つ脚の着地投影面積とほぼ等しい形状の底面とした場合には、小型犬にこの動物用浴槽１０を用いたとしても、従来の大型犬用浴槽と比し底面積が小さいため、小型犬の動ける範囲は狭いものとなる。したがって、動物用浴槽が大型犬に適するような寸法に形成されていても、この動物用浴槽１０であれば、浴槽内を動き回る小型犬を捕まえて作業するトリマーの労力が軽減される。すなわち、この大型犬用浴槽は大型犬と小型犬とに兼用する動物用浴槽として、適したものとなる。このような大型犬用浴槽は、洗毛等の作業の対象とする動物が、任意の大きさの動物である動物の美容店にとっては特に有用である。
【００３５】
ここで、この実施形態においてはこの傾斜壁１６は平面となっているが、特に平面に限定されるものではない。この側壁は動物が脚をかけることができない形状の傾斜壁面であればよい。例えば傾斜壁１６は曲面から形成されていてもよい。
【００３６】
さらに、この実施形態では、内槽１３は四つの面から成る傾斜壁１６を有しているが、傾斜壁１６は四つの面に限定されない。
【００３７】
例えば、前記動物の前後方向に対応する一対の傾斜壁１６を有しているだけでもよい。
【００３８】
また、この傾斜壁１６が、内槽の底面１５から上部開口に向けて拡大する一または二以上の壁から形成されているものでもよい。
【００３９】
そして、傾斜壁１６は別体で形成してもよいし、傾斜角が可変であってもよい。傾斜壁１６を別体で形成すれば傾斜壁１６を取り外して傾斜壁を有さない動物用の浴槽として用いることができるし、角度を変えることにより小型動物から大型動物にも適用することができる。
【００４０】
また、面積２２はここでは四辺形となっているが、四辺形に限定される訳ではない。すなわち、動物の四つ脚の着地投影面積は、四つ脚動物を着地させたときに、接地する四つの足裏２１の位置を結び、これを外周辺とした面積であればよい。例えば図６のように、動物の四つ脚の着地投影面積は楕円形である面積２２ａであってもよい。
【００４１】
さらに、本実施形態１では、内槽１３が動物の四つ脚の着地投影面積にほぼ等しい形状の底面１５となっているが、底面１５は、少なくとも四つ脚動物の前後方向（長手方向）が、四つ脚動物を入れたときにその四つ脚動物の前脚と後脚との間隔と略等しい長さを有していればよい。
【００４２】
このようにしても、前記四つ脚動物が前後方向に動こうとしたときに、周囲の前後方向の傾斜壁１６が底面１５の中心よりに向かって傾斜しているため、動物が脚を動かしても脚が滑って底面１５へ戻されるので、次第に落ち着いて脚を動かさなくなり、動物を浴槽本体１１内で暴れなくすることができる。
【００４３】
また、内槽１３の材質は耐水性のものであれば良く、材質は特に限定されるものではない。例えば、木材等の天然物、金属、プラスチック、ゴム、セラミックス等が挙げられる。
【００４４】
なお、傾斜壁１６は、四つ脚動物がその脚を掛けたときに、脚が滑りやすい材質のものが好ましい。
【００４５】
さらに、直方体である従来の内槽２に比し内槽１３の内容積が小さいため、貯湯する場合には貯湯時間の短縮及び湯量の節約をすることができる。
【００４６】
また、脚部１２は高さ調節手段を備えており、浴槽本体１１の高さ調節を可能としている。この高さ調節手段としては、油圧式、空圧式、ギヤ式等周知の構造を採用することができる。
【００４７】
このような脚部１２を有する動物用浴槽１０では、トリマーは動物を浴槽本体１１に出し入れさせるときは低く、動物の洗毛等を行うときは高く、そのときの作業に応じて浴槽本体１１の高さを調節できるため、トリマーの労力を軽減することができる。
【００４８】
【変形例１】
図７及び図８は実施の形態１の変形例１を示す図である。前記実施の形態１と同一ないし均等な部位、部材については同一符号を付し、重複した説明を省略する。
【００４９】
浴槽本体１１は、上部開口に至る迄開放する側方開口２３を有し、この側方開口２３はこの浴槽本体１１の外壁１４と傾斜壁１６ａとの同一の場所に形成されている。さらに、浴槽本体１１には、側方開口２３を塞ぎシールする扉２４が形成されている。
【００５０】
このような浴槽本体１１を有する動物用浴槽１０では、扉２４を開放することにより側方開口２３から動物を浴槽本体１１に出し入れさせることができる。したがって、動物を浴槽本体１１に入れるトリマーの労力を軽減することができる。
【００５１】
また、前記傾斜壁１６ａと対向する面である傾斜壁１６ｂの外側は、浴槽本体１１の内側に向けて凹まされた凹部２５を有している。
【００５２】
凹部２５は傾斜壁１６ｂ、上端縁１７、外壁１４の単独であるいは複合で作られている。
【００５３】
このように、浴槽本体１１が凹部２５を有していれば、トリマーは凹部２５に体を寄せることによって、浴槽本体１１内の動物により近づくことができ、動物の洗毛等を行うトリマーの作業性が向上する。
【００５４】
さらに浴槽本体１１には、外壁１４と内槽１３との間に外側より収納物を出し入れ自在とする収納部２６が形成されている。したがって、収納部２６にブラシ、洗剤等の洗毛用具を使用場所の近くに収納することができるため便利であり、しかも周囲に別途の収納棚等を必要とせずスペースの有効利用と作業性の向上を図ることができる。
【００５５】
【変形例２】
図９は前記実施の形態１の変形例２を示す図である。前記実施の形態１と同一ないし均等な部位、部材については同一符号を付し、重複した説明を省略する。
【００５６】
浴槽本体１１が有する外壁１４は、内槽１３の傾斜壁１６との間隔がほぼ一定で下すぼまりとなるように外壁１４が形成されている。したがって、省スペース化を図ることができるとともに、トリマーは膝や脚等を入れ体を浴槽本体１１により近づけることができるため、トリマーは自由な姿勢で作業をすることが可能となる。
【００５７】
【発明の実施の形態２】
図１０及び図１１は本発明の実施の形態２を示す図である。
【００５８】
図１０（ａ）において、傾斜壁部材３０は、傾斜板部３１と、傾斜板部３１に設けられた掛止部３２とを有している。
【００５９】
そして、図１１に示したように、浴槽本体５内に傾斜壁を有していない、従来型式の動物用浴槽１の浴槽本体５の上端縁５ａに、この掛止部３２は引っ掛け可能となっている。
【００６０】
このような構成を有している傾斜壁部材３０は、従来型式の動物用浴槽１の浴槽本体５上端縁５ａに掛止部３２が引っ掛けられて、浴槽本体５内に配置される。
【００６１】
このように浴槽本体５内に配置された傾斜壁部材３０は、掛止部３２を上端縁５ａに掛止させた状態で、傾斜板部３１が浴槽本体５の底面４まで延びており、浴槽本体５内に傾斜壁が形成される。
【００６２】
このように、前記傾斜壁１６を形成する傾斜壁部材３０を前記動物用浴槽１０と別体で形成すれば、浴槽本体５内に傾斜壁１６を有していない従来型式の動物用浴槽１であっても、上端縁５ａに掛止部３２を引っ掛けて傾斜板部３１を固定するだけで容易に、浴槽本体５内に傾斜壁１６を形成することができる。
【００６３】
さらに、図１０（ｂ）の様に、傾斜板部３１の二箇所に掛止部３２、３２を設ければ、浴槽本体５の底面４の面積を二段階に可変とすることができ、底面４の面積を変えることにより小型動物または大型動物と、適宜選択して適用することができる。
【００６４】
なお、この掛止部３２は一または二箇所に限られず、傾斜板部３１に掛止部３２、３２、・・・を複数箇所設ければ、より自由に底面４の面積を変えることが可能となり、小型動物から大型動物まで、適宜選択して適用することができる。
【００６５】
【発明の効果】
以上説明したように、請求項１に記載の発明は、四つ脚の着地投影面積に近い形状の底面を有すると共に、該底面から上部開口に向けて拡大する傾斜壁を有している構成としたため、四つ脚動物が動いて脚を踏み出しても、傾斜面で脚が滑り、底面に戻らされる。
【００６６】
したがって、動物の自由な動きを制限して、あるいは動物があきらめて動かなくなり、浴槽内で暴れることを防止できるため、トリマーがより少ない労力で動物の洗毛等の作業を行うことができる動物用浴槽を提供することができる。
【００６７】
また、請求項２に記載の発明は、前記動物の前後方向に対応する一対の前記傾斜壁を有しているため、四つ脚動物が動いて前後方向に脚を踏み出しても、傾斜面で脚が滑り、底面に戻らされる。
【００６８】
したがって、動物の自由な動きを制限して、あるいは動物があきらめて動かなくなり、浴槽内で暴れることを防止できるため、トリマーがより少ない労力で動物の洗毛等の作業を行うことができる動物用浴槽を提供することができる。
【００６９】
また、請求項３に記載の発明は、前記浴槽本体が高さ調節自在とされているため、トリマーは動物を前記浴槽本体に出し入れさせるときは低く、動物の洗毛等を行うときは高く、そのときの作業に応じて前記浴槽本体の高さを調節できるため、トリマーの労力を軽減することができる。
【００７０】
また、請求項４に記載の発明は、前記浴槽本体は、前記上部開口に至る迄開放する少なくとも一個の側方開口を有すると共に、該側方開口を塞ぐ扉を有しているため、前記扉を開放することにより前記側方開口から動物を前記浴槽本体に出し入れさせることができる。
【００７１】
したがって、動物を前記浴槽本体に入れるトリマーの労力を軽減することができる。
【００７２】
また、請求項５に記載の発明は、前記浴槽本体の外壁に該浴槽本体の内側に向けて凹まされた凹部を設けているため、トリマーは前記凹部に体を寄せることによって、前記浴槽本体内の動物により近づくことができ、動物の洗毛等を行うトリマーの作業性が向上する。
【００７３】
また、請求項６に記載の発明は、前記傾斜壁と前記外壁との間に外側より収納物を出し入れ自在とする収納部を形成したため、前記収納部にブラシ、洗剤等の洗毛用具を使用場所の近くに収納することができるため便利であり、しかも周囲に別途の収納棚等を必要とせずスペースの有効利用と作業性の向上を図ることができる。
【００７４】
また、請求項７に記載の発明は、傾斜壁部材が浴槽本体上端縁へ引っ掛け可能な掛止部と、該掛止部を前記上端縁に掛止させた状態で前記浴槽本体の底面まで延びる傾斜板部と、を有しているため、浴槽本体内に前記傾斜壁を有していない従来型式の動物用浴槽であっても、前記上端縁に前記掛止部を引っ掛けて前記傾斜板部を固定するだけで容易に、前記浴槽本体内に前記傾斜壁を形成することができる。
【００７５】
【図面の簡単な説明】
【図１】本発明の動物用浴槽の斜視図である。
【図２】本発明の動物用浴槽の正面図である。
【図３】本発明の動物用浴槽の平面図である。
【図４】本発明の動物用浴槽の側面図である。
【図５】動物の四つ脚の着地投影面積の第１例を表した図である。
【図６】動物の四つ脚の着地投影面積の第２例を表した図である。
【図７】本発明の動物用浴槽の変形例１の正面図である。
【図８】本発明の動物用浴槽の変形例１の平面図である。
【図９】本発明の動物用浴槽の変形例２の正面図である。
【図１０】本発明の傾斜壁部材の斜視図である。
【図１１】本発明の傾斜壁部材の使用状態を表した側面図である。
【図１２】従来の動物用浴槽の斜視図である。
【符号の説明】
１０・・・動物用浴槽
１１・・・浴槽本体
１２・・・脚部
１３・・・内槽
１４・・・外壁
１５・・・底面
１６・・・傾斜壁
１７・・・上端縁
１８・・・排水口
１９・・・排水管
２１・・・足裏
２２、２２ａ・・着地投影面積
２３・・・側方開口
２４・・・扉
２５・・・凹部
２６・・・収納部
３０・・・傾斜壁部材
３１・・・傾斜板部
３２・・・掛止部
【図１】
2004208549.tif 000003
【図２】
2004208549.tif 000004
【図３】
2004208549.tif 000005
【図４】
2004208549.tif 000006
【図５】
2004208549.tif 000007
【図６】
2004208549.tif 000008
【図７】
2004208549.tif 000009
【図８】
2004208549.tif 000010
【図９】
2004208549.tif 000011
【図１０】
2004208549.tif 000012
【図１１】
2004208549.tif 000013
【図１２】
2004208549.tif 000014